(57)【特許請求の範囲】
【請求項１】
0006452088.tif 000088
【請求項２】
0006452088.tif 000089
【請求項３】
請求項２に記載の方法であって、
前記高層シグナリングの配置したパラメータＡは、１、１/５、１/４、１/３、１/２、２/３、３/４、３/５の何れかであり、
前記パラメータＢは、１、１/５、１/４、１/３、１/２、２/３、３/４、３/５の何れかである、
方法。
【請求項４】
0006452088.tif 000090
【請求項５】
0006452088.tif 000091
【請求項６】
請求項５に記載の基地局であって、
前記高層シグナリングの配置したパラメータＡは、１、１/５、１/４、１/２、３/４、３/５の何れかであり、
前記パラメータＢは、１、１/５、１/４、１/２、３/４、３/５の何れかである、
基地局。
【発明の詳細な説明】
【技術分野】
【０００１】
本発明は移動通信システムに関し、特にサブフレームにおける伝送ブロック（Ｔｒａｎｓｍｉｓｓｉｏｎ  Ｂｌｏｃｋ、ＴＢ）のサイズを確定する方法及び基地局に関するものである。
【背景技術】
【０００２】
通信技術の発展に伴い、ＬＴＥ−Ａ(進化ＬＴＥ)はＬＴＥの進化システムとして１００ＭＨｚという広いスペクトル帯域幅を提供でき、より自由的でより高品質の通信をサポートすることができるとともに、ＬＴＥ−Ａシステムが優れた後方互換性も有している。ＬＴＥ−Ａシステムにおいて、複数のコンポーネントキャリア(Ｃｏｍｐｏｎｅｎｔ  Ｃａｒｒｉｅｒ、ＣＣ)を有し、一つのＬＴＥ端末は一つの後方互換のＣＣのみにて動作することができるが、能力が強いＬＴＥ−Ａ終端は、複数のＣＣで同時に伝送することができ、即ちＬＴＥ−Ａの端末が複数のコンポーネントキャリアでの同時伝送及びデ−タ受信を実現し、帯域幅を向上させる目的を達成できる。当該技術はマルチキャリアアグリゲーション技術と呼ばれる。
【０００３】
標準化の進展に伴い、新しいキャリアタイプを提出する会社があり、これらのキャリアに新しい特徴を与えているが、これらは一致が達成されていない。以下、これらのキャリアの特徴を考慮してみる。新しいキャリアタイプは、主にキャリアセグメント（Ｃａｒｒｉｅｒ  Ｓｅｇｍｅｎｔ）とキャリアエクステンション（ｅｘｔｅｎｓｉｏｎ  Ｃａｒｒｉｅｒ）がある。
【０００４】
キャリアセグメント（Ｃａｒｒｉｅｒ  Ｓｅｇｍｅｎｔ）は、非互換性のキャリア（今までのリリースに対して互換性を提供しない）で、キャリアセグメントは独立で使用することができず、後方互換キャリアのデ−タ領域の伝送能力を高めるため、ある後方互換キャリアの帯域幅の一部として使用されている。キャリアセグメントと、対になっている後方互換キャリアの帯域幅との和は、１１０資源ブロック（Ｒｅｓｏｕｒｃｅ  Ｂｌｏｃｋ、ＲＢと略称）を超えなく、キャリアエクステンションは、非独立で運営する非後方互換キャリアで、ある後方互換キャリアと対になって使用しなければならなく、キャリアエクステンションとキャリアセグメントとの関連特性は以下に示すとおりである。
【０００５】
非互換性キャリアの特徴はいままでのＲ８基準と異なり、Ｒ８における一つのサブフレームの前から三つの直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）符号が物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を伝送することに用いられ、他のＯＦＤＭ符号が物理下り共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を伝送することに用いられるが、現在、非互換性キャリアにおけるサブフレームに含まれるあらゆるＯＦＤＭ符号はＰＤＳＣＨの伝送に用いられ、且つセル基準信号（Ｃｅｌｌ−Ｓｐｅｃｉｆｉｃ  Ｒｅｆｅｒｅｎｃｅ  Ｓｉｇｎａｌ、ＣＲＳ）が占めるリソース要素（Ｒｅｓｏｕｒｃｅ  Ｅｌｅｍｅｎｔ、ＲＥと略称）の位置もデ−タ情報の伝送に用いられる。
【０００６】
統計によると、将来、システムスループットの８０％〜９０％は室内とホットポットで発生するということである。異種ネットワーク(ｈｅｔｅｒｏｇｅｎｅｏｕｓ  ｎｅｔｗｏｒｋｓ）は、システムのスループットとネットワークの全体能率を顕著に向上できる技術として、ＬＴＥ  Ａｄｖａｎｃｅの要求に満足することができる。異種ネットワーク構造は、伝統的なセル基地局に対して、ピコセル（Ｐｉｃｏｃｅｌｌ）、フェムトセル（Ｆｅｍｔｏｃｅｌｌ）、及び信号の中継用の中継局（Ｒｅｌａｙ）を含む、送信パワーがより小さい送信ノードが導入されている。これらのノードの導入は、室内やホットポット場面のカバーに、よりよい保証を提供でき、これらのノードの送信パワーが小さく、ネットワークをより自由に配置できるとともに、これらのノードのカバー範囲が小さく、ＬＴＥ  Ａｄｖａｎｃｅｄの潜在的な高周波帯域のスペクトルをより便利に利用することができる。しかし、新しいノードの導入により、元ネットワークのトポロジ構造が変更されているので、このようなネットワーク構造のセル間干渉は新しいチャレンジになっている。
【０００７】
異種ネットワークにおいて、後方互換を確保するために、ＣＲＳはサブフレーム毎に送信する。従って、ほぼ全てブランクのサブフレーム（Ａｌｍｏｓｔ  Ｂｌａｎｋ  Ｓｕｂｆｒａｍｅ、ＡＢＳ）、Ａｇｇｒｅｓｓｏｒ  Ｃｅｌｌ（セクタ）のＣＲＳも送信することになり、Ａｇｇｒｅｓｓｏｒ  ＣｅｌｌのＣＲＳは隣接するセルのｖｉｃｔｉｍ（弱い）ＵＥに強い干渉をもたらす。ＬＴＥ同周波数ネットワーク構築において、Ａｇｇｒｅｓｓｏｒ  Ｃｅｌｌとｖｉｃｔｉｍ  Ｃｅｌｌは異なる物理セルアイデンティティ（Ｐｈｙｓｉｃａｌ  Ｃｅｌｌ  ＩＤ、ＰＣＩと略称）を配置することで、セル間ＣＲＳの相互衝突を回避することができる。しかし、Ａｇｇｒｅｓｓｏｒ  ＣｅｌｌのＣＲＳはさらに隣接するセルのｖｉｃｔｉｍ  ＵＥに対応するＲＥに干渉を与え、当該ＲＥは、制御ドメインのＲＥ、又はデ−タドメインのＲＥであることが可能である。
【０００８】
受信機がデコード、復調をするとき、あいにく信頼性が低いデ−タ情報を受信した場合、復調やデコードに明らかな判断ミスをもたらし、受信機の性能が大いに低減することになる。Ａｇｇｒｅｓｓｏｒ  ＣｅｌｌのＣＲＳによる強い干渉を受けたＲＥは即ち信頼性の低いデ−タ情報で、これらの強い干渉を受けたＲＥによって、制御ドメインとデ−タドメインの性能が低くなっている。
【０００９】
制御ドメインＲＥがＡｇｇｒｅｓｓｏｒ  ＣｅｌｌのＣＲＳによる強い干渉を受けた場合について、制御シグナリングの占めるＲＥリソースが少ないため、幾つかのＲＥにてＡｇｇｒｅｓｓｏｒ  ＣｅｌｌのＣＲＳによる強い干渉を受けた場合、ｖｉｃｔｉｍ  ＵＥの制御ドメインの情報が確実に受信できないことがあり、特に物理下り制御チャネルのデコードは失敗になる可能性がある。情報を載せるＲＥを取り除くと、有効コーディング率の上昇になるが、ただ直接制御ドメインの干渉を受けたＲＥを取り除き、簡単にレートマッチングを使用すると、制御チャネルの性能が通常通りの通信の要求を満たすことができなくなる可能性がある。制御ドメインには、重要なシステム情報と、デ−タチャネルが正確にデコードすることを確保する制御情報を含み、システムが通常通りに通信できる第一の要件であるので、制御ドメインの確実な受信を確保することは極めて重要である。
【００１０】
時間分割同期コード分割マルチアドレス（Ｔｉｍｅ  Ｄｉｖｉｓｉｏｎ  −Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）システムの特殊スロットは固定配置であるが、ＴＤ−ＬＴＥシステムの特殊サブフレームは、必要に応じて自由に選択できるため、二つのシステムのサービススロット配置及びＴＤ−ＳＣＤＭＡの特殊スロットの状況により、ＴＤ−ＬＴＥ の特殊サブフレームの配置を合理的に選択し、二つのシステム間の上がり／下りが互いに干渉しないように、出来る限り二つのシステムのサービススロットと特殊スロットはいずれも同期が必要とするようにする。「ＴＳ  ３６．２１１  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ(Ｅ−ＵＴＲＡ)  Ｐｈｙｓｉｃａｌ  Ｃｈａｎｎｅｌ  ａｎｄ  Ｍｏｄｕｌａｔｉｏｎ」にて、ＬＴＥ−ＴＤＤの特殊サブフレームの基準について、下記表１に示す通りであり、表１にて指示されるのは異なる配置における、下りパイロッドスロット（Ｄｏｗｎｌｉｎｋ  Ｐｌｉｏｔ  Ｔｍｅ  ｓｌｏｔ、ＤＷＰＴＳ）、カードスロット（Ｇｕａｒｄ  Ｐｅｒｉｏｄ、ＧＰ）、上りパイロッドスロット（Ｕｐｌｉｎｋ  Ｐｌｉｏｔ  Ｔｍｅ  ｓｌｏｔ、ＵｐＰＴＳ）の占めるＯＦＤＭ符号数である。
【００１１】
【表１】
0006452088.tif 000002
【００１２】
ＴＤ−ＳＣＤＭＡ２：４、ＴＤ−ＬＴＥ１：３で配置される場合、現在のＬＴＥ（ＬＴＥ−Ａ）における配置方式によると、２つのシステムの同期を実現し、干渉を低減させるために、ＬＴＥ  ＴＤＤは表１における配置０と配置５を採用しかなく、このときＤＷＰＴＳはいずれも３つの符号しか占めなく、サービス信号を載せる符号がないので、このような配置におけるＤＷＰＴＳはサービスを伝送することができない。このとき上り/下り（Ｕｐｌｏａｄ/Ｄｏｗｎｌｏａｄ、ＵＬ/ＤＬ）が２：２で配置される場合に対して、ＵＬ/ＤＬは１：３である時、下りサービスサブフレームデ−タ符号が１つ増加したが、特殊サブフレームの比率の制限により、ＤＷＰＴＳはデ−タ伝送に用いられる符号が複数減少したので、ピーク/平均スループットはいずれも大きな損失があり、全体的な能率が低い。
【００１３】
よって、特殊サブフレームにおけるＤｗＰＴＳ、ＧＰ、ＵｐＰＴＳを改めて配置し、ＤｗＰＴＳにおけるＯＦＤＭ符号数の典型値を５つ又は６つにして、その中の３つのＯＦＤＭ符号は制御の伝送に用いられ、他のＯＦＤＭ符号はサービスの伝送に用いられるので、ピーク/平均スループットの損失が効果的に改善され、全体的な能率が顕著に向上されている。
【００１４】
既存技術におけるＴＢのサイズは物理資源ブロックの割り当て合計数
0006452088.tif 000003
と伝送ブロックサイズインデックス
0006452088.tif 000004
とにより共同で決定され、上記場面における物理資源ブロックはデ−タを伝送可能なリソース数が変化を生じたため、元の伝送ブロックの定義方式を援用すれば、上記場面におけるスペクトル能率の低下になるので、上記場面におけるスペクトル能率を向上させるために、新しい伝送ブロックサイズの決定方法を検討する必要がある。
【００１５】
既存技術では、ＴＢブロックが一層空間多重において、ＴＢサイズと物理資源ブロック割り当て合計数、及び伝送ブロックのサイズインデックスとの転換関係は下記表２に示す通りである。
【００１６】
【表２−１】
0006452088.tif 000005
【表２−２】
0006452088.tif 000006
【発明の概要】
【発明が解決しようとする課題】
【００１７】
本発明の実施例は、上記場面におけるスペクトル能率の低下を解決するために、サブフレームにおける伝送ブロックのサイズを決定する方法及び基地局を提供する。
【００１８】
上記課題を解決するために、本発明はサブフレームにおける伝送ブロックのサイズを確定する方法を提供する。
【００１９】
上記方法は、
物理資源ブロックの割り当て合計数と伝送ブロックのサイズインデックスを取得することと、
換算関係を決定し、前記
0006452088.tif 000007
と
0006452088.tif 000008
を前記換算関係によりそれぞれ既存の伝送ブロックのサイズを計算する時に用いられる
0006452088.tif 000009
と
0006452088.tif 000010
に転換することと、
前記
0006452088.tif 000011
と
0006452088.tif 000012
により伝送ブロックのサイズを計算することとを含む。
【００２０】
上記方法はさらに以下の特徴を有する。前記換算関係を確定することは、場面と換算関係との間の対応関係により現在場面における換算関係を確定することを含む。
【００２１】
上記方法はさらに以下のような特徴を有する。即ち前記換算関係は以下のような何れかである。
0006452088.tif 000013
【００２２】
上記方法はさらに以下のような特徴を有する。前記場面と換算関係との対応関係により、現在の場面における換算関係を確定することは、前記伝送ブロックを載せる物理下り共有チャネルがサブフレームの時間領域の一番目の直交周波数分割多重符号からデ−タを伝送する時、及び/又は、前記伝送ブロックを伝送するサブフレームにおいて、セル専有の基準信号を送信しない時、前記換算関係は、
0006452088.tif 000014
【００２３】
上記方法はさらに以下のような特徴を有する。前記場面と換算関係との対応関係により、現在の場面における換算関係を確定することは、前記伝送ブロックを載せる物理下り共有チャネルにおけるリソース要素がＭｕｔｉｎｇされる時、前記換算関係は、
0006452088.tif 000015
【００２４】
上記方法はさらに以下のような特徴を有する。前記場面と換算関係との対応関係により、現在の場面における換算関係を確定することは、特殊サブフレームＤｗＰＴＳにおける直交周波数分割多重の符号数は６つ又は５つである時、前記換算関係は、
0006452088.tif 000016
【００２５】
0006452088.tif 000017
【００２６】
上記方法はさらに以下のような特徴を有する。前記高層シグナリングの配置したパラメータＡは、１、１/５、１/４、１/３、１/２、２/３、３/４、３/５の何れかであり、前記パラメータＢは、１、１/５、１/４、１/３、１/２、２/３、３/４、３/５の何れかである。
【００２７】
本発明の実施例はさらに基地局を提出している。当該基地局は、
物理資源ブロックの割り当て合計数
0006452088.tif 000018
と伝送ブロックのサイズインデックス
0006452088.tif 000019
を取得する情報取得手段と、
換算関係を決定し、前記
0006452088.tif 000020
と
0006452088.tif 000021
を前記換算関係によりそれぞれ既存の伝送ブロックのサイズを計算する時に用いられる
0006452088.tif 000022
と
0006452088.tif 000023
に転換する換算手段と、
前記
0006452088.tif 000024
と
0006452088.tif 000025
により伝送ブロックのサイズを計算する伝送ブロックサイズ確定手段とを有する。
【００２８】
上記基地局は以下のような特徴をさらに有する。前記換算手段により換算関係を確定することは、場面と換算関係との間の対応関係により現在場面における換算関係を確定することを含む。
【００２９】
上記方法はさらに以下のような特徴を有する。即ち前記換算関係は下記何れかである。
0006452088.tif 000026
【００３０】
上記基地局はさらに以下のような特徴を有する。前記換算手段が前記場面と換算関係との対応関係により、現在の場面における換算関係を確定することは、前記伝送ブロックを載せる物理下り共有チャネルがサブフレームの時間領域の一番目の直交周波数分割多重符号からデ−タを伝送する時、及び/又は、前記伝送ブロックを伝送するサブフレームにおいて、セル専有の基準信号を送信しない時、前記換算関係は以下のようになっている。
0006452088.tif 000027
【００３１】
上記基地局はさらに以下のような特徴を有する。前記換算手段は、前記場面と換算関係との対応関係により、現在の場面における換算関係を確定することは、前記伝送ブロックを載せる物理下り共有チャネルにおけるリソース要素がＭｕｔｉｎｇされる時、前記換算関係は以下のようになっている。
0006452088.tif 000028
【００３２】
上記基地局はさらに以下のような特徴を有する。前記換算手段は、前記場面と換算関係との対応関係により、現在の場面における換算関係を確定することは、特殊サブフレームＤｗＰＴＳにおける直交周波数分割多重の符号数は６つ又は５つである時、前記換算関係は以下のようになっている。
0006452088.tif 000029
【００３３】
上記基地局はさらに以下のような特徴を有する。前記換算手段は、前記場面と換算関係との対応関係により、現在の場面における換算関係を確定することは、高層シグナリングにより配置した所定パラメータＡ及び/又はＢにより換算関係を確定することを含む。
0006452088.tif 000030
【００３４】
上記基地局はさらに以下のような特徴を有する。前記高層シグナリングの配置したパラメータＡは、１、１/５、１/４、１/２、３/４、３/５の何れかであり、前記パラメータＢは、１、１/５、１/４、１/２、３/４、３/５の何れかである。
【００３５】
本発明の実施例によると、既存のＴＢ  ｓｉｚｅ（サイズ）テーブルを用い、簡単な換算方法により、サブフレームにおいて伝送ブロックのサイズを確定する方法及び基地局を提供し、下りスペクトルの能率を向上させている。
【図面の簡単な説明】
【００３６】
【図１】本発明の実施例に係わるサブフレームの伝送ブロックのサイズを確定する方法を示す図である。
【図２】本発明の実施例２に係わる基地局のブロック図である。
【発明を実施するための形態】
【００３７】
以下、図面を結合して、本発明の実施例について詳しく説明する。なお、本願の実施例および実施例の特徴は、衝突がない場合には、互いに組み合わせることが可能である。
【００３８】
図１に示すように、本発明の実施例に提供される基地局によりサブフレームにおける伝送ブロックのサイズを確定する方法は以下のステップが含まれる。
ステップ１０１について、物理資源ブロックの割り当て合計数
0006452088.tif 000031
と伝送ブロックのサイズインデックス
0006452088.tif 000032
を取得する。
ステップ１０２について、換算関係を決定し、前記
0006452088.tif 000033
と
0006452088.tif 000034
を前記換算関係によりそれぞれ既存の伝送ブロックのサイズを計算する時に用いられる
0006452088.tif 000035
と
0006452088.tif 000036
に転換する。
ステップ１０３について、前記
0006452088.tif 000037
と
0006452088.tif 000038
により伝送ブロックのサイズを計算する。
【００３９】
前記換算関係を確定することは、場面と換算関係との間の対応関係により現在場面における換算関係を確定することを含む。
前記換算関係下記何れかである。
0006452088.tif 000039
【００４０】
現在の場面により換算関係を確定することは、以下のようなものを含む。
【００４１】
0006452088.tif 000040
【００４２】
0006452088.tif 000041
【００４３】
0006452088.tif 000042
【００４４】
場面一、二、三の組み合わせを含んでもよい。具体的には、実施例１１-１３を参照。
【００４５】
0006452088.tif 000043
【００４６】
前記高層シグナリングの配置したパラメータＡは、１、１/５、１/４、１/３、１/２、２/３、３/４、３/５の何れかであり、前記パラメータＢは、１、１/５、１/４、１/３、１/２、２/３、３/４、３/５の何れかである。
【００４７】
本発明の実施例によると、新しいキャリアタイプにおいて、サブフレームにおける伝送ブロックのサイズを確定する方法を提供する。具体的には、以下のようなものを含む。
【００４８】
本場面において、伝送ブロックを載せるＰＤＳＣＨがＯＦＤＭ符号０の初期位置からデ−タを伝送する、又はＣＲＳの位置する箇所がデ−タ伝送に用いられる。
【００４９】
0006452088.tif 000044
【００５０】
以下、幾つかの実施例を通して、如何にして上記方法によりサブフレームの伝送ブロックのサイズを確定するかを詳しく説明する。
【００５１】
0006452088.tif 000045
【００５２】
0006452088.tif 000046
【００５３】
0006452088.tif 000047
【００５４】
0006452088.tif 000048
【００５５】
0006452088.tif 000049
【００５６】
0006452088.tif 000050
【００５７】
本発明の実施例によると、さらに異種ネットワークにおいて、サブフレームにおける伝送ブロックのサイズを確定する方法を提供する。当該方法は、以下のようなものを含む。
【００５８】
0006452088.tif 000051
【００５９】
以下、幾つかの実施例を通して、如何にして本発明の方法によりサブフレームの伝送ブロックのサイズを確定するかを詳しく説明する。
【００６０】
0006452088.tif 000052
【００６１】
0006452088.tif 000053
【００６２】
0006452088.tif 000054
【００６３】
0006452088.tif 000055
【００６４】
0006452088.tif 000056
【００６５】
0006452088.tif 000057
【００６６】
本発明の実施例によると、さらに特殊サブフレームの再配置において、サブフレームにおける伝送ブロックのサイズを確定する方法を提供する。当該方法は、以下のようなものを含む。
【００６７】
0006452088.tif 000058
【００６８】
以下、幾つかの実施例を通して、如何にして本発明の方法により特殊サブフレームの伝送ブロックのサイズを確定するかを詳しく説明する。
【００６９】
0006452088.tif 000059
【００７０】
0006452088.tif 000060
【００７１】
0006452088.tif 000061
【００７２】
0006452088.tif 000062
【００７３】
0006452088.tif 000063
【００７４】
0006452088.tif 000064
【００７５】
0006452088.tif 000065
【００７６】
方法実施例１１〜１３はいずれも異なる場面間の状況について詳しく説明する。
【００７７】
0006452088.tif 000066
【００７８】
0006452088.tif 000067
【００７９】
0006452088.tif 000068
【００８０】
0006452088.tif 000069
【００８１】
0006452088.tif 000070
【００８２】
0006452088.tif 000071
【００８３】
方法実施例１４
本実施例は、高層シグナリング配置
0006452088.tif 000072
と
0006452088.tif 000073
の換算関係におけるパラメータＡとパラメータＢの具体的な数値がある。高層シグナリング配置パラメータＡは（１、１/５、１/４、１/２、３/４、３/５）の何れかで、パラメータＡが（１、１/２、３/４）であることは好ましく、高層シグナリング配置パラメータＢは、（１、１/５、１/４、１/２、３/４、３/５）の何れかで、パラメータＢが（１、１/２、３/４）であることは好ましい。
【００８４】
0006452088.tif 000074
【００８５】
図２に示すように、本発明の実施例はさらに基地局を提供し、当該基地局は、
物理資源ブロックの割り当て合計数
0006452088.tif 000075
と伝送ブロックのサイズインデックス
0006452088.tif 000076
を取得する情報取得手段２０１と、
換算関係を決定し、前記
0006452088.tif 000077
と
0006452088.tif 000078
を前記換算関係によりそれぞれ既存の伝送ブロックのサイズを計算する時に用いられる
0006452088.tif 000079
と
0006452088.tif 000080
に転換する換算手段２０２と、
前記
0006452088.tif 000081
と
0006452088.tif 000082
により伝送ブロックのサイズを計算する伝送ブロックサイズ確定手段２０３とを有する。
【００８６】
前記換算手段により換算関係を確定することは、場面と換算関係との間の対応関係により現在場面における換算関係を確定することを含む。
前記換算関係下記何れかである。
0006452088.tif 000083
【００８７】
0006452088.tif 000084
【００８８】
前記換算手段は、前記場面と換算関係との対応関係により、現在の場面における換算関係を確定することは、前記伝送ブロックを載せる物理下り共有チャネルにおけるリソース要素がＭｕｔｉｎｇされる時、前記換算関係は以下のようになっている。 
0006452088.tif 000085
【００８９】
前記換算手段は、前記場面と換算関係との対応関係により、現在の場面における換算関係を確定することは、特殊サブフレームＤｗＰＴＳにおける直交周波数分割多重の符号数は６つ又は５つである時、前記換算関係は以下のようになっている。
0006452088.tif 000086
【００９０】
0006452088.tif 000087
【００９１】
前記高層シグナリングの配置したパラメータＡは、１、１/５、１/４、１/２、３/４、３/５の何れかであり、前記パラメータＢは、１、１/５、１/４、１/２、３/４、３/５の何れかである。
【００９２】
言うまでもなく、上記方法において、全て又は一部のステップは、例えばＲＯＭ、磁気ディスク、又は光ディスクなどのようなコンピュータの読み取り可能な記憶装置に記憶するプログラムにより関連ハ一ドウエアを指示することで実現することができ、上記実施例の全体又は一部のステップは、一つ以上の集積回路により実現することができ、それに応じて、上記実施例における各モジュール/手段は、ハードウェアにより実現されてもよいし、ソフトウエア機能モジュールにより実現されてもよい。このように、本発明は、いずれの特定のハードウェアとソフトウェアの組み合わせにも限定されない。 
【産業上の利用可能性】
【００９３】
本発明は、既存のＴＢ  ｓｉｚｅ（サイズ）テーブルを用い、簡単な換算方法により、下りスペクトルの能率を向上させている。
【図１】
0006452088.tif 000092
【図２】
0006452088.tif 000093